(57)【特許請求の範囲】
【請求項１】
金属管からなるフェンス用門扉の枠辺と、前記枠辺に取り付けられる取付金具と、前記取付金具を介して前記枠辺に取り付けられる施錠装置とを備え、
前記枠辺は、施錠する相手方の錠受部材に対向する一の側面に開口された施錠枠面開口部と、前記一の側面に対向する他の側面に開口された施錠装置突出開口部とを有し、
前記施錠装置は、前記施錠枠面開口部から前記施錠装置突出開口部にかけて挿入され、前記他の側面から突出して配置される錠ケースと、前記錠ケースの基端部から上下方向に突出された施錠装置取付片とを有し、
前記取付金具は、前記施錠装置取付片を取り付け可能とした施錠装置側固定部と、前記施錠装置突出開口部の周縁にある前記他の側面に取り付けられる枠側固定部と、前記施錠装置側固定部と前記枠側固定部とを連結する連結支持部とを有し、前記施錠装置側固定部の板厚を前記枠辺の板厚よりも厚くして、前記施錠装置突出開口部の上下端にそれぞれ取り付けられ、
前記施錠装置側固定部は、前記施錠装置取付片が前記一の側面よりも内側か、又は当該一の側面と略同一平面を形成可能なように、前記枠側固定部に対して前記一の側面側に離間させてなること
を特徴とする施錠装置の取付構造。
【請求項２】
前記施錠装置取付片は、カバー材がさらに取り付けられ、
前記施錠装置側固定部は、前記カバー材が前記一の側面と略同一平面を形成可能なように、前記枠側固定部に対して前記一の側面側に離間させてなること
を特徴とする請求項１記載の施錠装置の取付構造。
【請求項３】
前記施錠装置突出開口部は、前記施錠枠面開口部よりも小さく開口されていること
を特徴とする請求項１又は２記載の施錠装置の取付構造。
【請求項４】
前記取付金具は、前記施錠装置側固定部の端部と前記枠側固定部の端部とを、連結支持部を介して連結した断面略コ字状で構成されていること
を特徴とする請求項１〜３の何れか１項記載の施錠装置の取付構造。
【請求項５】
前記取付金具は、前記枠側固定部を、前記他の側面の表側に当接させて取り付けられること
を特徴とする請求項１〜４の何れか１項記載の施錠装置の取付構造。
【発明の詳細な説明】
【技術分野】
【０００１】
本発明は、金属管からなる枠辺を有するフェンス用門扉に施錠装置を取り付ける上で好適な施錠装置の取付構造に関するものである。
【背景技術】
【０００２】
従来より、フェンス用門扉は、その枠辺に施錠装置を取り付けるための施錠装置の取付構造について、様々な構成が提案されている（例えば、特許文献１、２参照。）。
【０００３】
特許文献１においては、フェンス用門扉の枠辺に開口部が設けられ、この開口部の上端と下端において、枠辺の内側に向けた段付加工を枠辺に施し、この段付加工された部分にシリンダー錠を取り付ける施錠装置の取付構造が開示されている。
【０００４】
特許文献１の開示技術によると、その施錠装置の取付構造は、枠辺において内側に向けて段付加工して形成された施錠装置側固定部に、施錠装置取付片が固定されることによって、施錠装置取付片の表面を枠辺の側面よりも外側に突出させずに、施錠装置を枠辺に取り付けることができる。
【０００５】
特許文献２においては、フェンス用門扉の枠辺に開口部が設けられ、上端及び下端が内側に向けて段付加工された薄板部材をこの開口部に取り付け、さらに、この段付加工された部分にシリンダー錠を取り付ける施錠装置の取付構造が開示されている。
【０００６】
特許文献２の開示技術によると、その施錠装置の取付構造は、薄板部材において内側に向けて段付加工して形成された施錠装置側固定部に、施錠装置取付片が固定されることによって、施錠装置取付片の表面を薄板部材の表面よりも外側に突出させずに、施錠装置を枠辺に取り付けることができる。
【先行技術文献】
【特許文献】
【０００７】
【特許文献１】特開２０１０−１０６５３９号公報
【特許文献２】特開２００２−２３５４６５号公報
【発明の概要】
【発明が解決しようとする課題】
【０００８】
しかしながら、この特許文献１に開示される施錠装置の取付構造は、金属管からなるフェンス用門扉の枠辺に開口部を設けて段付加工を施すため、金属管の一部が段付けされた形状となるように枠辺を金型成形するか、段付けされた形状の金属部材を溶接等によって開口部に取り付ける等の工程が必要となる。このため、特許文献１に開示される施錠装置の取付構造は、その製作にあたり、金型成形や溶接等の複雑な工程が必要となり、製作工程の複雑化、高コスト化、製作工期の長期化を招くという問題点がある。
【０００９】
また、フェンス用門扉の枠辺は、防錆、防食性能及び美感の獲得を目的として、塗装が施されることが一般的である。ところが、特許文献１に開示される施錠装置の取付構造は、金属管の内側において複雑な形状をなす段付加工部分に塗装を施すため、均一に塗装することが困難であり、塗装にムラが生じ易くなるという問題点がある。
【００１０】
また、特許文献２に開示される施錠装置の取付構造は、金属管の表面に薄板部材を取り付けるため、薄板部材が枠辺の側面よりも外側に向けて突出してしまい、他の部材等に接触し易くなり、当該他の部材等を傷つけてしまうという問題点がある。このため、この突出量を抑制するために薄板部材を極力薄くする方法も従来より提案されている。しかしながら、この薄板部材を極力薄くする方法では、レバーハンドルの操作によって断続的に荷重が負荷される施錠装置がその薄板部材に取り付けられるため、当該薄板部材をあまりに薄くすると必要な剛性を確保することができなくなるという問題点がある。
【００１１】
また、特許文献２に開示される施錠装置の取付構造は、１つの薄板部材によって施錠装置が取り付けられるため、施錠装置が取り付けられる施錠枠面開口部の上下方向の大きさに応じて、薄板部材の大きさを変更する必要が生じる。このため、特許文献２に開示される施錠装置の取付構造は、薄板部材を共通化して製造することができず、薄板部材の製造コストが増大するとともに、品質の安定化を図ることが困難となるという問題点がある。
【００１２】
そこで、本発明は、上述した問題点に鑑みて案出されたものであり、その目的とするところは、容易に製作することができるとともに均一に塗装することができ、十分な剛性を確保させつつ、枠辺の側面よりも施錠装置が突出することを防止可能な施錠装置の取付構造を提供することにある。
【課題を解決するための手段】
【００１３】
本発明者は、上述した課題を解決するために、鋭意検討の末、下記の施錠装置の取付構造を発明した。
【００１４】
請求項１記載の施錠装置の取付構造は、金属管からなるフェンス用門扉の枠辺と、前記枠辺に取り付けられる取付金具と、前記取付金具を介して前記枠辺に取り付けられる施錠装置とを備え、前記枠辺は、施錠する相手方の錠受部材に対向する一の側面に開口された施錠枠面開口部と、前記一の側面に対向する他の側面に開口された施錠装置突出開口部とを有し、前記施錠装置は、前記施錠枠面開口部から前記施錠装置突出開口部にかけて挿入され、前記他の側面から突出して配置される錠ケースと、前記錠ケースの基端部から上下方向に突出された施錠装置取付片とを有し、前記取付金具は、前記施錠装置取付片を取り付け可能とした施錠装置側固定部と、前記施錠装置突出開口部の周縁にある前記他の側面に取り付けられる枠側固定部と、前記施錠装置側固定部と前記枠側固定部とを連結する連結支持部とを有し、前記施錠装置側固定部の板厚を前記枠辺の板厚よりも厚くして、前記施錠装置突出開口部の上下端にそれぞれ取り付けられ、前記施錠装置側固定部は、前記施錠装置取付片が前記一の側面よりも内側か、又は当該一の側面と略同一平面を形成可能なように、前記枠側固定部に対して前記一の側面側に離間させてなることを特徴とする。
【００１５】
請求項２記載の施錠装置の取付構造は、請求項１記載の施錠装置の取付構造において、前記施錠装置取付片は、カバー材がさらに取り付けられ、前記施錠装置側固定部は、前記カバー材が前記一の側面と略同一平面を形成可能なように、前記枠側固定部に対して前記一の側面側に離間させてなることを特徴とする。
【００１６】
請求項３記載の施錠装置の取付構造は、請求項１又は２記載の施錠装置の取付構造において、前記施錠装置突出開口部は、前記施錠枠面開口部よりも小さく開口されていることを特徴とする。
【００１７】
請求項４記載の施錠装置の取付構造は、請求項１〜３の何れか１項記載の施錠装置の取付構造において、前記取付金具は、前記施錠装置側固定部の端部と前記枠側固定部の端部とを、連結支持部を介して連結した断面略コ字状で構成されていることを特徴とする。
【００１８】
請求項５記載の施錠装置の取付構造は、請求項１〜４の何れか１項記載の施錠装置の取付構造において、前記取付金具は、前記枠側固定部を、前記他の側面の表側に当接させて取り付けられることを特徴とする。
【発明の効果】
【００１９】
請求項１記載の施錠装置の取付構造によれば、２個の独立した取付金具を用いて施錠装置を取り付けるため、フェンス用門扉の枠辺から施錠装置を突出させずに取り付けることができ、さらに、当該取付金具に十分な剛性を持たせることができるだけでなく、当該取付金具の製造コストの低廉化、品質の安定化を図ることが可能となる。
【００２０】
請求項２記載の施錠装置の取付構造によれば、請求項１記載の施錠装置の取付構造の効果に加えて、カバー材の厚みの分までフェンス用門扉の枠辺の内側に設けられるため、カバー材を取り付けた状態においても、フェンス用門扉の枠辺から施錠装置を突出させずに取り付けることが可能となる。
【００２１】
請求項３記載の施錠装置の取付構造によれば、請求項１、２記載の施錠装置の取付構造の効果に加えて、施錠装置の形状に合わせた大きさで枠辺が開口させることができ、その開口部に取り付けられる取付金具の形状を単純なものにすることが可能となる。
【００２２】
請求項４記載の施錠装置の取付構造によれば、請求項１〜３記載の施錠装置の取付構造の効果に加えて、取付金具の構造が単純であるため、取付金具のさらなる剛性の確保、製造コストの低廉化、品質の安定化を図ることが可能となる。
【００２３】
請求項５記載の施錠装置の取付構造によれば、請求項１〜４記載の施錠装置の取付構造の効果に加えて、取付金具をフェンス用門扉の枠辺の外側から取り付けることができるため、取付金具の取り付けの容易化を図ることが可能となる。
【図面の簡単な説明】
【００２４】
【図１】フェンス用門扉の全体図である。
【図２】図１のＸ部分の一部を示す拡大図である。
【図３】本発明を適用した施錠装置の取付構造の組立状態を示す側方断面図である。
【図４】本発明を適用した施錠装置の取付構造の枠辺と施錠装置本体と上部取付金具及び下部取付金具の斜視図である。
【図５】略コ字状の上部取付金具及び下部取付金具の斜視図と右側面図と正面図と背面図である。
【図６】略Ｎ字状の上部取付金具及び下部取付金具の斜視図と右側面図と正面図と背面図である。
【図７】略Ｈ字状の上部取付金具及び下部取付金具の斜視図と右側面図と正面図と背面図である。
【図８】略Ｕ字状の上部取付金具及び下部取付金具の斜視図と右側面図と正面図と背面図である。
【図９】略四角形状の上部取付金具及び下部取付金具の斜視図と右側面図と正面図と背面図である。
【図１０】略Ｊ字状の上部取付金具及び下部取付金具の斜視図と右側面図と正面図と背面図である。
【図１１】枠辺に上部取付金具及び下部取付金具を取り付けた状態を示す側方断面図である。
【図１２】枠辺に上部取付金具及び下部取付金具を取り付けた状態を示す斜視図である。
【図１３】枠辺に上部取付金具及び下部取付金具を取り付けた状態を示す正面図である。
【図１４】施錠装置本体を上部取付金具及び下部取付金具に取り付ける状態を示す斜視図である。
【図１５】施錠装置本体を上部取付金具及び下部取付金具に取り付けた状態を示す側方断面図である。
【図１６】施錠装置本体を上部取付金具及び下部取付金具に取り付けた状態を示す正面図である。
【図１７】シリンダーボックスを枠辺に取り付けた状態を示す側方断面図である。
【図１８】本発明を適用した施錠装置の取付構造の他の実施例における枠辺と施錠装置本体と上部取付金具及び下部取付金具とカバー材の斜視図である。
【図１９】本発明を適用した施錠装置の取付構造の他の実施例において、施錠装置本体に対してカバー材をさらに取り付ける状態を示す斜視図である。
【図２０】本発明を適用した施錠装置の取付構造の図１９に示す実施例において、施錠装置本体に対してカバー材をさらに取り付けた状態を示す正面図である。
【図２１】本発明を適用した施錠装置の取付構造の図１９に示す実施例において、施錠装置本体に対してカバー材をさらに取り付けた状態を示す側方断面図である。
【図２２】本発明を適用した施錠装置の取付構造の他の実施例において、取付金具の枠側固定部を取付金具固定枠面の裏面側に取り付けた状態を示す側方断面図である。
【図２３】本発明を適用した施錠装置の取付構造の他の実施例において、施錠装置突出開口部と施錠枠面開口部の大きさを略同一とした場合における側方断面図である。
【発明を実施するための形態】
【００２５】
以下、本発明を適用した施錠装置の取付構造を実施するための形態について、図面を参照しながら詳細に説明する。
【００２６】
図１は、フェンス用門扉１の全体図である。フェンス用門扉１は、開き戸の右門扉１ａと左門扉１ｂとを有し、右門扉１ａの側端には枠辺２ａが、左門扉１ｂの側端には錠受部材２ｂが設けられる。この枠辺２ａ及び錠受部材２ｂは、右門扉１ａと左門扉１ｂを互いに閉じた状態とした場合に、互いに対向するように設けられる。施錠装置取付部７は、枠辺２ａの上下方向の略中央に設けられる。施錠装置取付部７は、これに限らず、枠辺２ａの上下方向の略中央よりも上方又は下方に設けられてもよい。
【００２７】
図２は、図１のＸ部分の一部を示す拡大図である。施錠装置取付部７は、施錠装置の取付構造３と、図１に示す錠受部材２ｂから見て正面側から取り付けられるカバー材６０と、背面側から枠辺２ａに取り付けられるシリンダーボックス３０とを有する。シリンダーボックス３０は、その側面にレバーハンドル３１と、シリンダー３２とを有する。
【００２８】
図３は、施錠装置の取付構造３の組立状態を示す側方断面図である。施錠装置の取付構造３は、枠辺２ａと、枠辺２ａに取り付けられる上部取付金具４及び下部取付金具５と、上部取付金具４と下部取付金具５とに取り付けられる施錠装置本体５０とを有する。
【００２９】
図４は、施錠装置の取付構造３が有する枠辺２ａと、上部取付金具４及び下部取付金具５と、施錠装置本体５０を個別に表す斜視図である。枠辺２ａは、角形断面を有する金属管である。これに限らず、枠辺２ａの断面形状は、円形、楕円形、多角形等であってもよい。
【００３０】
枠辺２ａは、図１に示す錠受部材２ｂから見て正面側に矩形の施錠枠面開口部２６を有し、これと対向する背面側に、施錠枠面開口部２６よりも上下方向が小さく開口された矩形の施錠装置突出開口部２５を有する。枠辺２ａは、これに限らず、錠ケース５５が挿入できれば施錠装置突出開口部２５と施錠枠面開口部２６との開口の大小関係が如何なるものであってもよく、また、錠ケース５５が挿入できれば開口の形状も如何なるものであってもよい。
【００３１】
枠辺２ａは、図３に示すように、施錠枠面開口部２６の上方に上部施錠枠面２２を有し、施錠枠面開口部２６の下方に下部施錠枠面２４を有する。枠辺２ａは、施錠装置突出開口部２５の上方に上部取付金具固定枠面２１を有し、施錠装置突出開口部２５の下方に下部取付金具固定枠面２３を有する。上部取付金具固定枠面２１は、上部取付金具固定孔２１ｃが２個形成され、下部取付金具固定枠面２３は、下部取付金具固定孔２３ｃが２個形成される。上部取付金具固定孔２１ｃ及び下部取付金具固定孔２３ｃは、これに限らず、如何なる数であってもよく、また、孔を形成しなくとも、後述のように、上部取付金具４の上部枠側固定部１２を枠辺２ａの上部取付金具固定枠面２１に取り付けることができればよく、下部取付金具５の下部枠側固定部１５を枠辺２ａの下部取付金具固定枠面２３に取り付けることができればよい。
【００３２】
図５（ａ）は、上部取付金具４を示す斜視図であり、図５（ｂ）は、下部取付金具５を示す斜視図である。図５（ｃ）は、上部取付金具４を示す右側面図であり、図５（ｄ）は、下部取付金具５を示す右側面図である。図５（ｅ）は、上部取付金具４を示す正面図であり、図５（ｆ）は、下部取付金具５を示す正面図である。図５（ｇ）は、上部取付金具４を示す背面図であり、図５（ｈ）は、下部取付金具５を示す背面図である。
【００３３】
図５（ａ）に示すように、上部取付金具４は、上部施錠装置側固定部１１と、上部枠側固定部１２と、上部施錠装置側固定部１１と上部枠側固定部１２とを連結する上部連結支持部１３とを有する。上部連結支持部１３は、上部枠側固定部１２の下端から連続し、上部枠側固定部１２に対して略垂直に延設され、上部施錠装置側固定部１１の下端において、上部施錠装置側固定部１１に対して略垂直に連続するように設けられる。即ち、上部取付金具４は、上部枠側固定部１２の一端側と、上部施錠装置側固定部１１の一端側とを上部連結支持部１３を介して連結した断面略コ字状となる。
【００３４】
図５（ｂ）に示すように、下部取付金具５は、下部施錠装置側固定部１４と、下部枠側固定部１５と、下部施錠装置側固定部１４と下部枠側固定部１５とを連結する下部連結支持部１６とを有する。下部連結支持部１６は、下部枠側固定部１５の上端から連続し、下部枠側固定部１５に対して略垂直に延設され、下部施錠装置側固定部１４の上端において、下部施錠装置側固定部１４に対して略垂直に連続するように設けられる。即ち、下部取付金具５は、下部枠側固定部１５の一端側と、下部施錠装置側固定部１４の一端側とを下部連結支持部１６を介して連結した断面略コ字状となる。
【００３５】
図５（ｅ）に示すように、上部施錠装置側固定部１１は、幅方向の略中央に上部施錠装置側取付孔１１ａが１個形成される。図５（ｇ）に示すように、上部枠側固定部１２は、幅方向の略中央に上部枠側取付孔１２ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。
【００３６】
図５（ｆ）に示すように、下部施錠装置側固定部１４は、幅方向の略中央に下部施錠装置側取付孔１４ａが１個形成される。図５（ｈ）に示すように、下部枠側固定部１５は、幅方向の略中央に下部枠側取付孔１５ａが２個形成される。下部施錠装置側取付孔１４ａ及び下部枠側取付孔１５ａは、これに限らず、如何なる数又は位置に形成されてもよく、また、孔を形成しなくとも、後述のように、下部枠側固定部１５を図３に示す下部取付金具固定枠面２３に取り付けることができればよい。
【００３７】
上部取付金具４は、本実施例のように略コ字状となるものに限らず、図６（ａ）に示すように、略Ｎ字状としてもよい。このとき、上部連結支持部１３は、上部枠側固定部１２の下端から、上部施錠装置側固定部１１の上端に連続するように設けられる。下部取付金具５は、図６（ｂ）に示すように、略Ｎ字状としてもよい。このとき、下部連結支持部１６は、下部枠側固定部１５の上端から、下部施錠装置側固定部１４の下端に連続するように設けられる。図６（ｃ）は、略Ｎ字状の上部取付金具４を示す右側面図であり、図６（ｄ）は、略Ｎ字状の下部取付金具５を示す右側面図である。上部施錠装置側固定部１１は、図６（ｅ）に示すように、幅方向の略中央に上部施錠装置側取付孔１１ａが１個形成される。下部施錠装置側固定部１４は、図６（ｆ）に示すように、幅方向の略中央に下部施錠装置側取付孔１４ａが１個形成される。上部枠側固定部１２は、図６（ｇ）に示すように、幅方向の略中央に上部枠側取付孔１２ａが２個形成される。下部枠側固定部１５は、図６（ｈ）に示すように、幅方向の略中央に下部枠側取付孔１５ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。下部施錠装置側取付孔１４ａ及び下部枠側取付孔１５ａも同様に、如何なる数又は位置に形成されてもよく、また、孔を形成しなくとも、後述のように、下部枠側固定部１５を図３に示す下部取付金具固定枠面２３に取り付けることができればよい。
【００３８】
また、上部取付金具４は、図７（ａ）に示すように、略Ｈ字状としてもよい。このとき、上部連結支持部１３は、上部枠側固定部１２の中間から連続し、上部枠側固定部１２に対して略垂直に延設され、上部施錠装置側固定部１１の中間において、上部施錠装置側固定部１１に対して略垂直に連続するように設けられる。下部取付金具５は、図７（ｂ）に示すように、略Ｈ字状としてもよい。このとき、下部連結支持部１６は、下部枠側固定部１５の中間から連続し、下部枠側固定部１５に対して略垂直に延設され、下部施錠装置側固定部１４の中間において、下部施錠装置側固定部１４に対して略垂直に連続するように設けられる。図７（ｃ）は、略Ｈ字状の上部取付金具４を示す右側面図であり、図７（ｄ）は、略Ｈ字状の下部取付金具５を示す右側面図である。上部施錠装置側固定部１１は、図７（ｅ）に示すように、幅方向の略中央に上部施錠装置側取付孔１１ａが１個形成される。下部施錠装置側固定部１４は、図７（ｆ）に示すように、幅方向の略中央に下部施錠装置側取付孔１４ａが１個形成される。上部枠側固定部１２は、図７（ｇ）に示すように、幅方向の略中央に上部枠側取付孔１２ａが２個形成される。下部枠側固定部１５は、図７（ｈ）に示すように、幅方向の略中央に下部枠側取付孔１５ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。下部施錠装置側取付孔１４ａ及び下部枠側取付孔１５ａも同様に、如何なる数又は位置に形成されてもよく、また、孔を形成しなくとも、後述のように、下部枠側固定部１５を図３に示す下部取付金具固定枠面２３に取り付けることができればよい。
【００３９】
また、上部取付金具４は、図８（ａ）に示すように、略Ｕ字状としてもよい。このとき、上部連結支持部１３は、上部枠側固定部１２の下端から、上部施錠装置側固定部１１の下端まで、下方に湾曲するように連続して設けられる。下部取付金具５は、図８（ｂ）に示すように、略Ｕ字状としてもよい。このとき、下部連結支持部１６は、下部枠側固定部１５の上端から、下部施錠装置側固定部１４の上端まで、上方に湾曲するように連続して設けられる。図８（ｃ）は、略Ｕ字状の上部取付金具４を示す右側面図であり、図８（ｄ）は、略Ｕ字状の下部取付金具５を示す右側面図である。上部施錠装置側固定部１１は、図８（ｅ）に示すように、幅方向の略中央に上部施錠装置側取付孔１１ａが１個形成される。下部施錠装置側固定部１４は、図８（ｆ）に示すように、幅方向の略中央に下部施錠装置側取付孔１４ａが１個形成される。上部枠側固定部１２は、図８（ｇ）に示すように、幅方向の略中央に上部枠側取付孔１２ａが２個形成される。下部枠側固定部１５は、図８（ｈ）に示すように、幅方向の略中央に下部枠側取付孔１５ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。下部施錠装置側取付孔１４ａ及び下部枠側取付孔１５ａも同様に、如何なる数又は位置に形成されてもよく、また、孔を形成しなくとも、後述のように、下部枠側固定部１５を図３に示す下部取付金具固定枠面２３に取り付けることができればよい。
【００４０】
また、上部取付金具４は、図９（ａ）に示すように、略四角形状としてもよい。このとき、上部連結支持部１３は、上部枠側固定部１２の上端、下端から連続し、上部枠側固定部１２に対して略垂直に延設され、上部施錠装置側固定部１１の上端、下端において、上部施錠装置側固定部１１に対して略垂直に連続するように設けられる。下部取付金具５は、図９（ｂ）に示すように、略四角形状としてもよい。このとき、下部連結支持部１６は、下部枠側固定部１５の上端、下端から連続し、下部枠側固定部１５に対して略垂直に延設され、下部施錠装置側固定部１４の上端、下端において、下部施錠装置側固定部１４に対して略垂直に連続するように設けられる。図９（ｃ）は、略四角形状の上部取付金具４を示す右側面図であり、図９（ｄ）は、略四角形状の下部取付金具５を示す右側面図である。上部施錠装置側固定部１１は、図９（ｅ）に示すように、幅方向の略中央に上部施錠装置側取付孔１１ａが１個形成される。下部施錠装置側固定部１４は、図９（ｆ）に示すように、幅方向の略中央に下部施錠装置側取付孔１４ａが１個形成される。上部枠側固定部１２は、図９（ｇ）に示すように、幅方向の略中央に上部枠側取付孔１２ａが２個形成される。下部枠側固定部１５は、図９（ｈ）に示すように、幅方向の略中央に下部枠側取付孔１５ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。下部施錠装置側取付孔１４ａ及び下部枠側取付孔１５ａも同様に、如何なる数又は位置に形成されてもよく、また、孔を形成しなくとも、後述のように、下部枠側固定部１５を図３に示す下部取付金具固定枠面２３に取り付けることができればよい。
【００４１】
また、上部取付金具４は、図１０（ａ）に示すように、略Ｊ字状としてもよい。このとき、上部連結支持部１３は、上部施錠装置側固定部１１よりも上下方向に長い上部枠側固定部１２の下端から連続し、上部枠側固定部１２に対して略垂直に延設され、上部施錠装置側固定部１１の下端において、上部施錠装置側固定部１１に対して略垂直に連続するように設けられる。下部取付金具５は、図１０（ｂ）に示すように、略Ｊ字状としてもよい。このとき、下部連結支持部１６は、下部施錠装置側固定部１４よりも上下方向に長い下部枠側固定部１５の上端から連続し、下部枠側固定部１５に対して略垂直に延設され、下部施錠装置側固定部１４の上端において、下部施錠装置側固定部１４に対して略垂直に連続するように設けられる。図１０（ｃ）は、略Ｊ字状の上部取付金具４を示す右側面図であり、図１０（ｄ）は、略Ｊ字状の下部取付金具５を示す右側面図である。上部施錠装置側固定部１１は、図１０（ｅ）に示すように、幅方向の略中央に上部施錠装置側取付孔１１ａが１個形成される。下部施錠装置側固定部１４は、図１０（ｆ）に示すように、幅方向の略中央に下部施錠装置側取付孔１４ａが１個形成される。上部枠側固定部１２は、図１０（ｇ）に示すように、幅方向の略中央に上部枠側取付孔１２ａが２個形成される。下部枠側固定部１５は、図１０（ｈ）に示すように、幅方向の略中央に下部枠側取付孔１５ａが２個形成される。上部施錠装置側取付孔１１ａ及び上部枠側取付孔１２ａは、これに限らず、如何なる数又は位置に形成されてもよく、また、孔を形成しなくとも、後述のように、上部枠側固定部１２を図３に示す上部取付金具固定枠面２１に取り付けることができればよい。下部施錠装置側取付孔１４ａ及び下部枠側取付孔１５ａも同様に、如何なる数又は位置に形成されてもよく、また、孔を形成しなくとも、後述のように、下部枠側固定部１５を図３に示す下部取付金具固定枠面２３に取り付けることができればよい。
【００４２】
上部取付金具４及び下部取付金具５は、所定の剛性を得ることができるような板厚を有しており、その材質は、金属である。
【００４３】
図１１は、枠辺２ａに上部取付金具４及び下部取付金具５を取り付けた状態を示す側方断面図であり、図１２は、枠辺２ａに上部取付金具４及び下部取付金具５を取り付けた状態を示す斜視図である。図１３は、枠辺２ａに上部取付金具４及び下部取付金具５を取り付けた状態を示す正面図である。
【００４４】
図１１に示すように、上部取付金具４は、上部枠側固定部１２と上部取付金具固定枠面２１とを当接させた状態で、上部枠側取付孔１２ａと上部取付金具固定孔２１ｃとにリベット４２を用い、上部取付金具固定枠面２１に取り付けられる。上部取付金具４は、これに限らず、リベット４２の代わりにボルト、ネジ等を用いて取り付けられてもよい。上部施錠装置側固定部１１は、上部枠側固定部１２に対して略平行とされた上で上部施錠枠面２２側に離間される。
【００４５】
図１１に示すように、下部取付金具５は、下部枠側固定部１５と下部取付金具固定枠面２３とを当接させた状態で、下部枠側取付孔１５ａと下部取付金具固定孔２３ｃとにリベット４２を用い、下部取付金具固定枠面２３に取り付けられる。下部取付金具５は、これに限らず、リベット４２の代わりにボルト、ネジ等を用いて取り付けられてもよい。下部施錠装置側固定部１４は、下部枠側固定部１５に対して略平行とされた上で下部施錠枠面２４側に離間される。
【００４６】
上部取付金具４及び下部取付金具５は、枠辺２ａに取り付けられた際に、図１１に示すように、上部施錠装置側固定部１１と下部施錠装置側固定部１４とが、それぞれ上部施錠枠面２２及び下部施錠枠面２４よりも、同程度だけ枠辺２ａの内側に位置することが望ましい。上部連結支持部１３及び下部連結支持部１６の長さと、上部施錠装置側固定部１１及び下部施錠装置側固定部１４の板厚は、上部施錠装置側固定部１１及び下部施錠装置側固定部１４が同程度だけ枠辺２ａの内側に位置するように予め調整される。
【００４７】
図１４は、施錠装置本体５０を上部取付金具４及び下部取付金具５に取り付ける状態を示す斜視図である。図１５は、施錠装置本体５０を上部取付金具４及び下部取付金具５に取り付けた状態を示す側方断面図である。施錠装置本体５０は、上部施錠装置取付片５１と、下部施錠装置取付片５２と、錠ケース５５とを有する。図１６は、施錠装置本体５０を上部取付金具４及び下部取付金具５に取り付けた状態を示す正面図である。
【００４８】
図１４に示すように、上部施錠装置取付片５１は、施錠装置本体５０において、図１に示す錠受部材２ｂから見て正面側の基端部から上方向に突出された金属片であり、その幅方向の略中央には上部施錠装置取付孔５１ａが形成される。下部施錠装置取付片５２は、施錠装置本体５０において、図１に示す錠受部材２ｂから見て正面側の基端部から下方向に突出された金属片であり、その幅方向の略中央には下部施錠装置取付孔５２ａが形成される。
【００４９】
図１５に示すように、上部施錠装置取付片５１は、上部施錠装置側固定部１１と当接させた状態で、タップ等を用いて雌ねじが設けられた上部施錠装置側取付孔１１ａと、上部施錠装置取付孔５１ａとに施錠装置ネジ４３を用い、上部施錠装置側固定部１１に取り付けられる。下部施錠装置取付片５２は、下部施錠装置側固定部１４と当接させた状態で、タップ等を用いて雌ねじが設けられた下部施錠装置側取付孔１４ａと、下部施錠装置取付孔５２ａとに施錠装置ネジ４３を用い、下部施錠装置側固定部１４に取り付けられる。上部施錠装置取付片５１及び下部施錠装置取付片５２は、これに限らず、施錠装置ネジ４３の代わりにボルト、リベット等を用いて取り付けられてもよい。
【００５０】
上部施錠装置取付片５１及び下部施錠装置取付片５２は、それぞれ上部施錠装置側固定部１１及び下部施錠装置側固定部１４に取り付けることができれば如何なる形状であってもよく、また、上部施錠装置取付孔５１ａ及び下部施錠装置取付孔５２ａを形成しなくとも、溶接等によって、上部施錠装置側固定部１１及び下部施錠装置側固定部１４に取り付けることもできる。
【００５１】
錠ケース５５は、枠辺２ａの幅よりも薄い箱型となっており、その基端部に図１に示す錠受部材２ｂから見て正面側に進退可能なラッチボルト５３を有する。錠ケース５５は、上部施錠装置取付片５１を上部取付金具４に、下部施錠装置取付片５２を下部取付金具５に取り付けた状態において、枠辺２ａを貫通するように施錠装置突出開口部２５から突出する。錠ケース５５は、本実施例において、ラッチボルト５３の上下にそれぞれカバー取付孔５０ａが形成される。カバー取付孔５０ａは、これに限らず、錠ケース５５に形成されなくともよい。
【００５２】
本発明を適用した施錠装置の取付構造３は、上部施錠装置側固定部１１が上部施錠枠面２２よりも枠辺２ａの内側に位置し、また、下部施錠装置側固定部１４が下部施錠枠面２４よりも枠辺２ａの内側に位置する。このため、当該上部施錠装置側固定部１１、当該下部施錠装置側固定部１４に取り付けられる上部施錠装置取付片５１、下部施錠装置取付片５２の表面を、上部施錠枠面２２、下部施錠枠面２４よりも枠辺２ａの内側に配置させることが可能となる。これにより、本発明を適用した施錠装置の取付構造３は、施錠装置本体５０が枠辺２ａの表面よりも外側に突出することのないように設けることが可能となる。
【００５３】
上部取付金具４と下部取付金具５とは、それぞれ独立した２個の部品が用いられるため、施錠装置突出開口部２５の上下方向の長さが様々に異なる場合であっても、施錠装置突出開口部２５の上端及び下端において上部取付金具４及び下部取付金具５を取り付けることができる。このため、上部取付金具４及び下部取付金具５は、施錠装置突出開口部２５の上下方向の長さや、施錠装置本体５０の幅に応じて上部取付金具４及び下部取付金具５の大きさ及び形状をその都度変更することなく、単一種類の上部取付金具４及び下部取付金具５を用いることができる。これにより、本発明を適用した施錠装置の取付構造３は、汎用性をより向上させることが可能となり、上部取付金具４及び下部取付金具５を共通化して製造することが可能となることから、製造コストの削減、品質の安定化を図ることが可能となる。
【００５４】
本発明を適用した施錠装置の取付構造３は、枠辺２ａについて必要となる加工が、施錠装置突出開口部２５と施錠枠面開口部２６とを開口させることで足りるため、複雑な段付加工や段付部材の溶接等を必要とせず、製作コストの削減、品質の安定化を図ることが可能となる。また、上部取付金具４及び下部取付金具５は、枠辺２ａとは独立して製造することができるため、上部取付金具４及び下部取付金具５のそれぞれに対して個別に塗装することが可能となり、ムラのない均一な塗装が可能となる。
【００５５】
図１７に示すように、シリンダーボックス３０は、本発明を適用した施錠装置の取付構造３の一部である錠ケース５５を覆うようにして枠辺２ａに取り付けることができる。このため、上部枠側固定部１２及び下部枠側固定部１５は、シリンダーボックス３０の内側に納まることにより露出せず、また、上部施錠装置側固定部１１及び下部施錠装置側固定部１４は、枠辺２ａの内側に納まることにより露出しない。これにより、本発明を適用した施錠装置の取付構造３は、上部枠側固定部１２、下部枠側固定部１５、上部施錠装置側固定部１１及び下部施錠装置側固定部１４の板厚について、自由度の高い設計が可能となる。また、上部連結支持部１３と下部連結支持部１６の板厚も、施錠装置突出開口部２５の上下方向の大きさを適宜変更することで、自由度の高い設計が可能となる。特に、上部施錠装置側固定部１１及び下部施錠装置側固定部１４、上部連結支持部１３と下部連結支持部１６の板厚を厚くすることで剛性を向上させることも可能となることから、本発明を適用した施錠装置の取付構造３は、図２に示すレバーハンドル３１の操作に起因して断続的に負荷される荷重にも対抗することが可能となる。
【００５６】
図１８は、本発明を適用した施錠装置の取付構造３の他の実施例を説明するための斜視図である。図１９は、この実施例において、施錠装置本体５０に対してカバー材６０をさらに取り付ける状態を示す斜視図である。図２０は、この実施例において、施錠装置本体５０に対してカバー材６０をさらに取り付けた状態を示す正面図である。図２１は、この実施例において、施錠装置本体５０に対してカバー材６０をさらに取り付けた状態を示す側方断面図である。
【００５７】
本発明を適用した施錠装置の取付構造３は、この実施例において、図２１に示すように、図１に示す錠受部材２ｂから見て正面側から、施錠装置本体５０に対してカバー材６０をさらに取り付けることができる。カバー材６０は、カバー材取付孔６０ａが設けられ、中央にはラッチボルト５３が挿入可能なサイズで構成されるカバー材開口部７２が設けられる。このカバー材開口部７２の位置にラッチボルト５３を合わせて取り付けることにより、カバー材開口部７２を通じてラッチボルト５３が進退自在となる。図２１に示すように、カバー材６０は、カバー材取付孔６０ａとカバー取付孔５０ａとにカバー材ネジ４４を用い、施錠装置本体５０に取り付けられる。カバー材６０は、これに限らず、カバー材ネジ４４の代わりにボルト、リベット等を用いて取り付けられてもよい。
【００５８】
なお、上述した実施例では、あくまで、上部取付金具４の上部枠側固定部１２を上部取付金具固定枠面２１の表面側２１ａに取り付け、下部取付金具５の下部枠側固定部１５を下部取付金具固定枠面２３の表面側２３ａに取り付ける構成を例にとり説明をしたが、これに限定されるものではない。例えば、図２２の側方断面図に示すように、上部取付金具４の上部枠側固定部１２を上部取付金具固定枠面２１の裏面側２１ｂに取り付け、下部取付金具５の下部枠側固定部１５を下部取付金具固定枠面２３の裏面側２３ｂに取り付けるようにしてもよい。また、この実施例においては、図５〜８に示す上部取付金具４及び下部取付金具５の他に、図９に示す四角形状の上部取付金具４及び下部取付金具５を用いることもできる。
【００５９】
本実施例では、かかる場合においても同様に、上部施錠装置側固定部１１が上部施錠枠面２２よりも枠辺２ａの内側に配置されるため、当該上部施錠装置側固定部１１に取り付けられる上部施錠装置取付片５１の表面を上部施錠枠面２２よりも内側に配置させるか、あるいはこれと略同一平面を形成するように配置することが可能となる。また、本実施例では、下部施錠装置側固定部１４が下部施錠枠面２４よりも枠辺２ａの内側に配置されるため、当該下部施錠装置側固定部１４に取り付けられる下部施錠装置取付片５２の表面を下部施錠枠面２４よりも内側に配置させるか、あるいはこれと略同一平面を形成するように配置することが可能となる。
【００６０】
また、上述した実施例では、施錠装置突出開口部２５の上下方向の大きさが、施錠枠面開口部２６の上下方向の大きさよりも小さい場合を例にとり説明をしたが、これに限定されるものではない。例えば、図２３の側方断面図に示すように、施錠装置突出開口部２５と施錠枠面開口部２６の上下方向の大きさを略同一とすることもできる。この実施例においては、図１０に示すＪ字状の上部取付金具４及び下部取付金具５を用いることができる。
【００６１】
この実施例においては、図２３に示すように、上部施錠装置側固定部１１の長さよりも長い上部枠側固定部１２を上部取付金具固定枠面２１に取り付け、下部施錠装置側固定部１４の長さよりも長い下部枠側固定部１５を下部取付金具固定枠面２３に取り付ける。これにより、施錠装置突出開口部２５の上下方向の大きさを施錠枠面開口部２６の上下方向の大きさよりも小さくする代わりに、長さの長い上部枠側固定部１２及び下部枠側固定部１５によって、施錠装置本体５０の上部施錠装置取付片５１及び下部施錠装置取付片５２の取付位置に、上部施錠装置側固定部１１及び下部施錠装置側固定部１４を配置させることが可能となる。
【００６２】
かかる場合においても同様に、上部施錠装置側固定部１１が上部施錠枠面２２よりも枠辺２ａの内側に配置されるため、当該上部施錠装置側固定部１１に取り付けられる上部施錠装置取付片５１の表面を上部施錠枠面２２よりも内側に配置させるか、あるいはこれと略同一平面を形成するように配置することが可能となる。また、上述した構成からなる本発明を適用した施錠装置の取付構造３では、下部施錠装置側固定部１４が下部施錠枠面２４よりも枠辺２ａの内側に配置されるため、当該下部施錠装置側固定部１４に取り付けられる下部施錠装置取付片５２の表面を下部施錠枠面２４よりも内側に配置させるか、あるいはこれと略同一平面を形成するように配置することが可能となる。
【００６３】
以上、本発明の実施例について詳細に説明したが、前述した実施例は、何れも本発明を実施するにあたっての具体化の例を示したものに過ぎず、これらによって本発明の技術的範囲が限定的に解釈されてはならないものである。
【００６４】
例えば、本発明を適用した施錠装置の取付構造３は、本実施例において、右門扉１ａ側に設けられるが、これに限らず、左門扉１ｂ側に設けられてもよい。錠受部材２ｂが設けられるのは、本実施例において、左門扉１ｂであるが、これに限らず、門扉ではなく支柱等であってもよい。
【００６５】
また、上部取付金具４及び下部取付金具５は、図３に示すような施錠装置本体５０が取り付けられる枠辺２ａに取り付けることができるだけでなく、図１に示す錠受部材２ｂにおいて、ラッチボルト５３が挿入される図示しない錠受け構造を錠受部材２ｂに取り付ける場合においても用いることができる。
【００６６】
さらに、上部取付金具４及び下部取付金具５は、上部取付金具４に略コ字状のものを用いるとともに、下部取付金具５に略Ｎ字状のものを用いる等、上部取付金具４と下部取付金具５とで形状の異なるものを用いることができる。
【符号の説明】
【００６７】
１      フェンス用門扉
１ａ    右門扉
１ｂ    左門扉
２      枠辺
２ａ    枠辺
２ｂ    錠受部材
４      上部取付金具
５      下部取付金具
１１    上部施錠装置側固定部
１１ａ  上部施錠装置側取付孔
１２    上部枠側固定部
１２ａ  上部枠側取付孔
１３    上部連結支持部
１４    下部施錠装置側固定部
１４ａ  下部施錠装置側取付孔
１５    下部枠側固定部
１５ａ  下部枠側取付孔
１６    下部連結支持部
２１    上部取付金具固定枠面
２１ａ  上部取付金具固定枠面の表面側
２１ｂ  上部取付金具固定枠面の裏面側
２１ｃ  上部取付金具固定孔
２２    上部施錠枠面
２３    下部取付金具固定枠面
２３ａ  下部取付金具固定枠面の表面側
２３ｂ  下部取付金具固定枠面の裏面側
２３ｃ  下部取付金具固定孔
２４    下部施錠枠面
２５    施錠装置突出開口部
２６    施錠枠面開口部
３      施錠装置の取付構造
３０    シリンダーボックス
３１    レバーハンドル
３２    シリンダー
４２    リベット
４３    施錠装置ネジ
４４    カバー材ネジ
５０    施錠装置本体
５０ａ  カバー取付孔
５１    上部施錠装置取付片
５１ａ  上部施錠装置取付孔
５２    下部施錠装置取付片
５２ａ  下部施錠装置取付孔
５３    ラッチボルト
５５    錠ケース
６０    カバー材
６０ａ  カバー材取付孔
７      施錠装置取付部
７２    カバー材開口部
【図１】
0005889608.tif 000002
【図２】
0005889608.tif 000003
【図３】
0005889608.tif 000004
【図４】
0005889608.tif 000005
【図５】
0005889608.tif 000006
【図６】
0005889608.tif 000007
【図７】
0005889608.tif 000008
【図８】
0005889608.tif 000009
【図９】
0005889608.tif 000010
【図１０】
0005889608.tif 000011
【図１１】
0005889608.tif 000012
【図１２】
0005889608.tif 000013
【図１３】
0005889608.tif 000014
【図１４】
0005889608.tif 000015
【図１５】
0005889608.tif 000016
【図１６】
0005889608.tif 000017
【図１７】
0005889608.tif 000018
【図１８】
0005889608.tif 000019
【図１９】
0005889608.tif 000020
【図２０】
0005889608.tif 000021
【図２１】
0005889608.tif 000022
【図２２】
0005889608.tif 000023
【図２３】
0005889608.tif 000024